(57)【要約】      （修正有）【課題】ハンドドリルの重量を大幅に増加させず、その携行性や操作性を損ねることのない装着を可能とし、しかも穿孔作業中のドリルビットに冷却液を自在に供給することになってドリルビットの延命化を図り、より経済的に利用可能とすることができるハンドドリル用ドリルビット冷却器を提供する。【解決手段】操作部４１に連動する圧送機構４３にて小型タンク４０内の冷却液７を噴射可能とした着装ポンプ４からなり、同着装ポンプ４を装着対象ハンドドリル８の適所に装着可能なマウント金具２を設け、該マウント金具２に支柱ボルト３０と、一対の緊締ナット３１，３１とからなる姿勢調節機構３を組み込んだ上、当該着装ポンプ４圧送機構４３に誘導ノズル６の基端を接続してなるハンドドリル用ドリルビット冷却器１である。【選択図】図５
0003148183.tif 000002
【実用新案登録請求の範囲】
【請求項１】
冷却液用の小型タンクと、同タンクに一体的に設けられた操作部への入力に応じて、該タンク内冷却液を噴射可能とする圧送機構とを有する着装ポンプからなると共に、同着装ポンプを装着対象ハンドドリルのグリップ適所か、または、グリップ以外の本体適所かの何れか一方に着脱自在に装着可能なマウント金具を設け、該マウント金具には、その適所に基端を結合し、該グリップに直交状に立設可能とした支柱ボルトと、同支柱ボルト先端がわに、着装ポンプの連結部分に形成したフランジを、該支柱ボルトの軸心方向の進退位置、および、同支柱ボルトの軸心周りの角度姿勢、夫々が調節自在となるよう挟着、連結可能とした一対の緊締ナットとからなる姿勢調節機構を組み込んだ上、当該着装ポンプ圧送機構に、該ハンドドリルのチャックに装着したときのドリルビットに対し、その先端を近接配置可能とするよう規制して設けた誘導ノズルの基端を、直接または間接的に接続してなるものとしたことを特徴とするハンドドリル用ドリルビット冷却器。
【請求項２】
装着対象のハンドドリルより小型に設定した冷却液用の小型タンクと、同タンクに一体的に設けられた操作部への一回毎の押圧入力に応じて、該タンク内冷却液の一定量毎を吸引、噴射可能とする指押し操作型の圧送機構とを有する着装ポンプからなると共に、同着装ポンプを装着対象ハンドドリルのグリップ適所か、または、グリップ以外の本体適所かの何れか一方に着脱自在に装着可能なマウント金具を設け、該マウント金具には、その適所に基端を結合し、該グリップに直交状に立設可能とした支柱ボルトと、同支柱ボルト先端がわに、着装ポンプの連結部分に形成したフランジを、該支柱ボルトの軸心方向の進退位置、および、同支柱ボルトの軸心周りの角度姿勢、夫々が調節自在、且つ当該着装ポンプ操作部が、グリップを握持した利用者の手、親指の第一関節の腹がわに対峙し易いよう調節可能となるよう挟着、連結可能に螺着した一対の緊締ナットとからなる姿勢調節機構を組み込んだ上、当該着装ポンプ圧送機構に、該ハンドドリルのチャックに装着したときのドリルビットに対し、その先端を近接配置可能とするよう規制して設けた誘導ノズルの基端を、直接または間接的に接続してなるものとしたことを特徴とするハンドドリル用ドリルビット冷却器。
【請求項３】
マウント金具が、各種ハンドドリル毎に太さの異なるグリップ周りに応じて寸法調節し、巻付け装着可能としたホース用バンド型のクランプ金具としてなるものとした、請求項１または２何れか一方記載のハンドドリル用ドリルビット冷却器。
【請求項４】
着装ポンプが、透明タンクを有したプッシュポンプ型の容器からなり、そのプッシュポンプ頭部である圧送機構操作部の冷却液噴出部分先端には、誘導ノズルの基端に一端が接続された軟質チューブの他端を繋いだものとし、該軟質チューブが、操作入力を受けて往復移動する操作部と、一定姿勢に保持された誘導ノズルとの間で緩衝するよう設定されてなるものとした、請求項１ないし３何れか一項記載のハンドドリル用ドリルビット冷却器。
【請求項５】
誘導ノズルは、装着対象ハンドドリルのグリップ適所か、または、グリップ以外の本体適所かの何れか一方に装着されたときのマウント金具から、同ハンドドリルのチャックに装着されたときのドリルビットに向け、先端を近接可能とする長さに設定された金属パイプ製であって、その基端がわが、姿勢調節機構の一対の緊締ナットにより、着装ポンプのフランジと共に共締め連結された断面Ｕ字型の挟着板間に挟着保持されたものとし、同挟着板の誘導ノズル基端付近に貫通した調節ネジおよびナットにて、誘導ノズル基端がわの姿勢変更、および仮固定可能とするよう緊締保持されてなるものとした、請求項４記載のハンドドリル用ドリルビット冷却器。                                                                        
【考案の詳細な説明】
【技術分野】
【０００１】
この考案は、ハンドドリルの使用中にドリルビットが異常過熱するのを防止可能とする技術に関するものであり、ハンドドリルに装着可能なドリルビット冷却器を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                        
【背景技術】
【０００２】
（着目点）
ハンドドリルを用いて金属板や高強度のコンクリート壁などに連続的に穴開けするような場合、ドリルビットが十分に冷えてから次ぎの穴開け作業を開始するよう注意しないと、摩擦熱によってドリルビットが異常過熱し、急速に摩耗して使用不能となってしまい、効率的な穴開け作業の妨げとなってしまうという欠点があり、こうした欠点を解決するために、耐熱性に秀れた高速度工具鋼製や超硬合金製のものやチタンコーティングなどの耐熱コーティングを施したものなど、耐熱性、焼き付き、かじり、熔損、ヒートチェック・クラックの発生を低減可能とする様々なドリルビットが普及している。
【０００３】
しかしながら、こうした高性能なドリルビットを使用した場合であっても、長時間に渡って連続使用している中に過熱状態に陥ってしまい、本来の寿命より早期に摩耗、損傷してしまうことがあり、こうした事態が頻発することになるとドリルビットの交換に多くの手間が掛り、本来の穴開け作業の効率を大幅に低下させてしまうばかりでなく、摩耗したドリルビットの研磨やメンテナンス作業のためや新たなドリルビットの購入のための費用などが嵩み、経済的な不都合が多くなるという欠点があった。
【０００４】
（従来の技術）
こうした状況を憂慮し、例えば、下記の特許文献１（１）に提案されているものに代表されるように、ドリルビットのシャンク部分より刃先端にかけて冷却水供給用の供給管路を形成し、マシニングセンターなどの工作機械本体がわに設けられた給水機構からの給水を受け、被削材料とドリルビットの切り刃との間の摩擦抵抗を低減および冷却可能としたものや、同特許文献１（２）のような、被削材料の穴開け箇所周辺とドリルビットを装着したボール盤チャック取付け部分周辺とを包囲可能な密閉カバーを設け、該密閉カバーのドリルビット付近に対応する一側壁に吸引管を接続し、これとは反対がわとなる他側壁に、外部ミスト発生機構からの冷却水を供給可能とする噴出孔を穿設してなるものとし、切削中のドリルビットおよびその周囲にミストを供給、吸引排出可能としてなるもの、あるいは、ハンドドリルに装着したドリルビットに冷却液を供給するのに応用できそうな技術として、特許文献１（３）に示されているような、気密性柔軟合成樹脂製流動物容器の開口部分に着脱自在に接続可能としてなるプッシュポンプ式の流動物吸出具などが散見される。
【０００５】
しかし、前者特許文献１（１）に示されているようなドリルビットの内部に冷却水用の供給管路を形成したものは、ドリルビット自体の構造が複雑化してしまって高価なものとなってしまい、しかも一般形状のドリルビットよりも強度に劣るため、マシニングセンターなどの高精度の切削加工に適するものの、本体を手で保持するため、穿孔作業中に本体が動き易いハンドドリルには不向きであり、破損し易いという欠点を生じる上、ハンドドリルの内部に吸水機構を組み込む必要があり、ハンドドリル自体も複雑化して高価なものとなって経済的に不利なものとなってしまい、また、特許文献１（２）の密閉カバーをボール盤のチャック付近に装着したものは、ボール盤とは別体としたミスト発生機構と吸引機構とを必要としていて据え置き型の工作機械に適するものであり、携帯性を重視するハンドドリルに組み込むのが非常に難しく、仮に組み込むことができたとしても大型化や重量の増大が避け難く、穴開け作業性を大幅に悪化させてしまう虞があり、さらにまた、後者特許文献１（３）に見られるようなプッシュポンプ式の流動物吸出具のようなものでは、ハンドドリルへの装着技術や、ハンドドリルに装着されているドリルビットに向けて冷却液を供給する技術などは一切存在せず、そのまま利用することは全く不可能なものとなっている。                                                                                                    
【特許文献１】（１）実用新案登録第３１３４０１１号公報    （２）実開平６−１７８４７号公報    （３）実用新案登録第３０６６８３１号公報
【考案の開示】
【考案が解決しようとする課題】
【０００６】
（問題意識）
上述したとおり、従前までに提案のある冷却液供給用の管路を内蔵したドリルビットや、冷却液の供給や吸引機構を組み込んだボール盤などは何れも、携帯性が重視され、日常的に手荒い扱いを受けるハンドドリルと組み合わせたものとすることは非常に困難なものであり、重量の増大、大型化、構造の複雑化、耐久性の低下、および高価格化などが避けられず、そのままでは実用化が不可能であり、また、吸水液の供給装置を軽量化、低廉化するのに有効なものとして注目されるプッシュポンプ式の流動物吸出具も、従前までのものでは、ハンドドリルに適性に装着し、穿孔作業中のドリルビットに向けて効果的に冷却液を供給することができないというという欠点があったことから、ハンドドリルの携行性や耐久性を損ねること無く、穿孔作業中のドリルビットに冷却液を効率的に供給可能とする技術については未だ存在しないという状況にある。
【０００７】
（考案の目的）
そこで、この考案は、ハンドドリルの重量を大幅に増加させず、その携行性や操作性を損ねることなく装着可能であり、しかも、穿孔作業中のドリルビットに冷却液を自在に供給することができてドリルビットの延命化を図り、より経済的に利用可能とすることができる新たなドリルビット用冷却技術の開発はできないものかとの判断から、逸速くその開発、研究に着手し、長期に渡る試行錯誤と幾多の試作、実験とを繰り返してきた結果、今回、遂に新規な構造のハンドドリル用ドリルビット冷却器を実現化することに成功したものであり、以下では、図面に示すこの考案を代表する実施例と共に、その構成を詳述することとする。                                                                                                          
【課題を解決するための手段】
【０００８】
（考案の構成）
図面に示すこの考案を代表する実施例からも明確に理解されるように、この考案のハンドドリル用ドリルビット冷却器は、基本的に次のような構成から成り立っている。
即ち、冷却液用の小型タンクと、同タンクに一体的に設けられた操作部への入力に応じて、該タンク内冷却液を噴射可能とする圧送機構とを有する着装ポンプからなると共に、同着装ポンプを装着対象ハンドドリルのグリップ適所か、または、グリップ以外の本体適所かの何れか一方に着脱自在に装着可能なマウント金具を設け、該マウント金具には、その適所に基端を結合し、該グリップに直交状に立設可能とした支柱ボルトと、同支柱ボルト先端がわに、着装ポンプの連結部分に形成したフランジを、該支柱ボルトの軸心方向の進退位置、および、同支柱ボルトの軸心周りの角度姿勢、夫々が調節自在となるよう挟着、連結可能とした一対の緊締ナットとからなる姿勢調節機構を組み込んだ上、当該着装ポンプ圧送機構に、該ハンドドリルのチャックに装着したときのドリルビットに対し、その先端を近接配置可能とするよう規制して設けた誘導ノズルの基端を、直接または間接的に接続してなるものとした構成を要旨とするハンドドリル用ドリルビット冷却器である。
【０００９】
この基本的な構成からなるハンドドリル用ドリルビット冷却器を、より具体的なものとして示すと、装着対象のハンドドリルより小型に設定した冷却液用の小型タンクと、同タンクに一体的に設けられた操作部への一回毎の押圧入力に応じて、該タンク内冷却液の一定量毎を吸引、噴射可能とする指押し操作型の圧送機構とを有する着装ポンプからなると共に、同着装ポンプを装着対象ハンドドリルのグリップ適所か、または、グリップ以外の本体適所かの何れか一方に着脱自在に装着可能なマウント金具を設け、該マウント金具には、その適所に基端を結合し、該グリップに直交状に立設可能とした支柱ボルトと、同支柱ボルト先端がわに、着装ポンプの連結部分に形成したフランジを、該支柱ボルトの軸心方向の進退位置、および、同支柱ボルトの軸心周りの角度姿勢、夫々が調節自在、且つ当該着装ポンプ操作部が、グリップを握持した利用者の手、親指の第一関節の腹がわに対峙し易いよう調節可能となるよう挟着、連結可能に螺着した一対の緊締ナットとからなる姿勢調節機構を組み込んだ上、当該着装ポンプ圧送機構に、該ハンドドリルのチャックに装着したときのドリルビットに対し、その先端を近接配置可能とするよう規制して設けた誘導ノズルの基端を、直接または間接的に接続してなるものとした構成からなるハンドドリル用ドリルビット冷却器となる。                                                                                        
【考案の効果】
【００１０】
以上のとおり、この考案のハンドドリル用ドリルビット冷却器によれば、従前までのものとは違い、上記したとおりの固有の特徴ある構成から、ハンドドリルの重量を大幅に増加させることなく、その携行性や操作性を損ねずに装着することができ、穿孔作業中のドリルビットに冷却液を自在に供給可能とし、ドリルビットの異常過熱を確実に防止して耐久寿命を各段に高め、ボーリング作業の効率を大幅に改善して各段に経済的な利用を実現化することができるものとなるという秀れた特徴が得られるものである。
【００１１】
加えて、装着対象のハンドドリルより小型に設定した冷却液用の小型タンクを設けたものは、より軽快で正確な操作性を実現可能なものとし、作業者への負担を軽減可能であり、指押し操作型であって操作部への一回毎の押圧入力に応じて、該タンク内冷却液の一定量毎を吸引、噴射可能とした圧送機構は、作業者がハンドドリルを操作中の随時に、必要な量の冷却液を過不足なく噴射可能として、より効率的に冷却操作することができ、さらに、該操作部が、グリップを握持した利用者の手、親指の第一関節の腹がわに対峙し易いよう調節可能となるよう装着可能としたものは、ハンドドリルを握持した手を握り直すことなく、親指操作で簡便に操作することができるようになり、着装ポンプの操作性を各段に向上して穿孔作業の効率を大幅に改善できるものとなるという効果を奏するものとなる。
【００１２】
そして、マウント金具をホース用バンド型のクランプ金具としてなるものは、各種ハンドドリル毎に太さの異なるグリップ周りに応じて自在に寸法調節して、より確実に十分な強度で巻付け装着可能なものとなり、不用意な緩みや脱落などをより確実に防止できるものとなって安全、迅速な作業を実施可能にする実利性が得られることになる。
【００１３】
また、透明タンクを設けたプッシュポンプ型の容器を着装ポンプとし、該着装ポンプのプッシュポンプ頭部からなる圧送機構操作部の冷却液噴出部分先端に、誘導ノズルの基端に一端が接続された軟質チューブの他端を繋いだものは、該軟質チューブが、操作入力を受けて往復移動する操作部と、一定姿勢に保持された誘導ノズル基端との間で緩衝する役目を果たし、冷却液の噴出量および噴射方向を適性且つ安定的に保持可能とすることができる利点がある。
【００１４】
さらに、誘導ノズルを金属パイプ製とし、その基端がわが、姿勢調節機構の一対の緊締ナットで着装ポンプのフランジと共に共締め連結された断面Ｕ字型の挟着板間に挟着保持され、同挟着板の誘導ノズル基端付近に貫通した調節ネジおよびナットにより、誘導ノズル基端がわの姿勢変更ならびに仮固定可能とするよう緊締保持されるようにしたものでは、該調節ネジおよびナットを緩めて誘導ノズルの支持姿勢を容易に調節、変更することができ、該調節ネジおよびナットを締め付けて誘導ノズルの支持姿勢を調節後の姿勢に確りと仮固定することが可能となり、誘導ノズルの姿勢調節作業を各段に効率化することができるようになるという大きな効果を奏することになる。                                                          
【考案を実施するための最良の形態】
【００１５】
上記したとおりの構成からなるこの考案の実施に際し、その最良もしくは望ましい形態について説明を加えることにする。
マウント金具は、当該ドリルビット冷却器を、装着対象ハンドドリルのグリップ適所か、またはグリップ以外の本体適所かの何れか一方に着脱自在に装着可能とするものであり、着装ポンプを確りと仮固定可能とするものとしなければならず、各種ハンドドリルのグリップの太さや形状に応じて、取り付け形状を調節または変更可能なものとすべきであり、後述する実施例に示すように、ホース用バンド型のクランプ金具からなるものとすることができる外、面ファスナーや各種バックル金具などを用いた装着用のベルトや、グリップの種類毎に専用のものを準備し、個別に選択して装着可能なものとすることなどが可能である。
【００１６】
姿勢調節機構は、着装ポンプのハンドドリルに対する取り付け位置および取り付け姿勢を調節可能とする機能を果たすものであり、十分な強度をもって着装ポンプを装着、支持可能なものとしなければならず、例えば後述する実施例に示すように、マウント金具適所に基端を結合し、ハンドドリルのグリップに直交状に立設可能とした支柱ボルトと、同支柱ボルト先端がわに、着装ポンプの連結部分に形成したフランジを、該支柱ボルトの軸心方向の進退位置、および同支柱ボルトの軸心周りの角度姿勢夫々が調節自在となるよう挟着、連結可能とした一対の緊締ナットとからなるものとすることが可能である。
【００１７】
姿勢調節機構の支柱ボルトは、マウント金具の適所に、適性な距離を隔てて着装ポンプの連結部分に形成したフランジを十分な強度で連結、支持可能とするものであり、その基端をマウント金具の適所に結合し、その先端がわを着装ポンプの連結部分に形成したフランジに貫通状に装着し、一対の緊締ナットで締め付け、仮固定可能としてなるものとすべきであるが、基端をマウント金具の適所に結合した棒状支柱体からなるものとし、その周壁の長さ方向の所定寸法毎の夫々に棒状支柱体の軸心方向の位置決め用、および同軸心周りの所定角度毎の夫々に軸心周り位置決め用となる複数個の凹欠部を形成すると共に、該棒状支柱体の先端がわから着装ポンプの連結部分に一体化したリングを装着した上、該リングの周壁に貫通し、その先端が各凹欠部の何れか一つに任意、選択的に嵌合可能な位置で締め付け、仮固定可能とした蝶螺子を螺着してなるものなど、同等の機能を果たすものに置き換えることが可能である。
【００１８】
姿勢調節機構の一対の緊締ナットは、支柱ボルトの先端がわ適所に、着装ポンプの連結部分に形成したフランジを位置決め、仮固定可能とするものであり、支柱ボルトに対して十分な強度をもって螺着したものとしなければならず、必要に応じて断面Ｕ字型であって誘導ノズル基端がわを挟着保持可能とした挟着板も共締め、仮固定可能としたものとすることが可能であり、各種座金や緩み止め用のナット（ダブルナット）などを追加したものとすることができる。
【００１９】
挟着板は、姿勢調節機構に誘導ノズル基端付近を仮固定可能とすると共に、該誘導ノズルを所望の姿勢に保持可能とする機能を果たすものであり、該誘導ノズル基端への軟質チューブの接続および円滑な冷却液の噴出を確保可能であり、しかも誘導ノズルの支持姿勢を安定的に維持可能なものとしなければならず、同誘導ノズルの支持姿勢を自由に調節できるものとすべきであり、後述する実施例のように、姿勢調節機構の一対の緊締ナットにより、着装ポンプのフランジと共に共締め連結された断面Ｕ字型の挟着板間に挟着保持されたものとし、同挟着板の誘導ノズル基端付近に貫通した調節ネジおよびナットで誘導ノズル基端がわの姿勢変更および仮固定可能とするよう緊締保持されてなるものとすることができる外、誘導ノズル基端付近、および誘導ノズル基端への軟質チューブの接続端を挟着可能な２枚の小金属板か、または小金属板と調節ネジ用ワッシャーなどの座金類との組み合わせからなるものなどとすることができる。
【００２０】
挟着板の調節ネジおよびそれに螺着するナットは、挟着板に挟み込まれた誘導ノズル基端付近、および同誘導ノズル基端への軟質チューブの接続端を挟着保持可能とすると共に、該誘導ノズルの支持姿勢を調節可能とするものであり、十分な強度で挟着板間に誘導ノズル基端がわを挟着保持可能とし、且つ自由に弛緩して誘導ノズルの支持姿勢を自在に調節可能なものとしなければならず、後述する実施例に示すように、調節ネジとナットとの組み合わせからなるものとすることができる外、断面Ｕ字型の挟着板に外がわから嵌着して挟着板間に誘導ノズル基端がわを挟着保持可能としたクリップ金具に置き換えたものなどとすることが可能である。
【００２１】
着装ポンプは、適量の冷却液をハンドドリルの適所に装着可能とし、該ハンドドリルのチャックに装着して回転駆動するドリルビットに対して随時、冷却液を噴射可能とする機能を果たし、ハンドドリルの携帯性や操作性を損ねない程度に小型化された冷却液用のタンクと、同タンクに一体的に設けられた操作部とを有するものであり、該操作部への入力に応じて、該タンク内冷却液を噴射可能とする圧送機構を設けたものとしなければならず、該タンクは、装着対象のハンドドリルより小型に設定されたものとすべきであり、軟質バック、缶、瓶、ボックス、またはその他の形状で、透明、不透明あるいは半透明の何れかの容器からなるものとすることができ、該圧送機構は、操作部への一回毎の押圧入力に応じて、該タンク内冷却液の一定量毎を吸引、噴射可能とする指押し操作型のものとすることができる外、タンク内に圧縮ガスと共に封入された冷却液を、操作部の操作に応じて霧状に吹き付け可能としたスプレー型またはエアゾール型のものなどとすることが可能であり、後述する実施例に示すように、合成樹脂製か、またはガラス製かの何れか一方からなる透明タンクを有したプッシュポンプ型の容器かならり、そのプッシュポンプ頭部である圧送機構操作部の冷却液噴出部分先端には、誘導ノズルの基端に一端が接続された軟質チューブの他端を繋いだものとし、該軟質チューブが、操作入力を受けて往復移動する操作部と、一定姿勢に保持された誘導ノズルとの間で、緩衝する役目を果たすよう設定されてなるものとすることができる。
【００２２】
着装ポンプの連結部分に形成したフランジは、マウント金具に組み込まれた姿勢調節機構に対して該着装ポンプを十分な強度をもって連結可能とするものであり、着装ポンプがハンドドリルの装着箇所から不用意に脱落しないよう確実に仮固定できるものとしなければならず、タンクおよび／または圧送機構に一体化されたものか、もしくは、別体のベルトや帯状金具など着装ポンプの胴体周りに巻き付け装着可能な金具類などに一体化されものとすることが可能である。
【００２３】
誘導ノズルは、着装ポンプの圧送機構から噴出する冷却液をハンドドリルのチャックに装着したときのドリルビットに到達するよう誘導可能とする機能を果たし、その基端を着装ポンプ圧送機構に直接または間接的に接続してなるものとし、該基端とは反対がわとなる先端を、該ハンドドリルのチャックに装着したときのドリルビットに対し、近接配置可能とするよう規制して設けたものとしなければならず、後述する実施例に示すように、装着対象ハンドドリルのグリップ適所か、または、グリップ以外の本体適所かの何れか一方にマウント金具を介して装着されたときの着装ポンプがわから、同ハンドドリルのチャックに装着されたときのドリルビットに向けて、先端を近接可能とする長さに設定された金属パイプ製であり、その基端がわが、姿勢調節機構の一対の緊締ナットにより、着装ポンプのフランジと共に共締め連結された断面Ｕ字型の挟着板間に挟着保持されたものとし、同挟着板の誘導ノズル基端付近に貫通した調節ネジおよびナットで誘導ノズル基端がわの姿勢変更、ならびに仮固定可能とするよう緊締保持されてなるものとすることができる。
【００２４】
冷却液は、ドリルビットと被穿孔材料との摩擦を抑制し、冷却する液体であって市販の切削油や切削剤などの外、マシン油や潤滑油、水などを用いることが可能であり、さらに、それらの摩擦低減および冷却作用が得られる液体と、圧縮空気あるいはその他の高圧気体などとを混合してスプレー可能なものとすることができる外、同等の摩擦低減や冷却の作用が得られる粉体や粒体、半個体、またはそれらの混合体などに置き換えることが可能である。
以下では、図面に示すこの考案を代表する実施例と共に、その構造について詳述することとする。                                                                                                            
【実施例１】
【００２５】
図１の側方から見たドリルビット冷却器の斜視図、図２の下方から見たドリルビット冷却器の斜視図、図３のドリルビット冷却器を装着したハンドドリルを側方から見た斜視図、図４のドリルビット冷却器を装着したハンドドリルを下方から見た斜視図、および、図５の利用中のドリルビット冷却器の斜視図に示す事例は、操作部４１に連動する圧送機構４３にて小型タンク４０内の冷却液７を噴射可能とした着装ポンプ４からなり、同着装ポンプ４を装着対象ハンドドリル８の適所に装着可能なマウント金具２を設け、該マウント金具２に支柱ボルト３０と、一対の緊締ナット３１,３１とからなる姿勢調節機構３を組み込んだ上、当該着装ポンプ４圧送機構４３に誘導ノズル６の基端を接続してなるものとした、この考案のハンドドリル用ドリルビット冷却器における代表的な一実施例を示すものである。
【００２６】
図１および図２からも明確に把握できるとおり、この考案のハンドドリル用ドリルビット冷却器１は、その着装ポンプ４が、装着対象のハンドドリル８（図３ないし５中に示す）より小型に設定された透明合成樹脂製の有底円筒状の小型タンク４０内に冷却水（冷却液）７の所定量を収容すると共に、該タンク４０上端であって雄ネジを刻設したボトルネック部分（図示せず）に、指押し操作型の操作部４１の基部付近に形成されたスクリューキャップ型連結部を螺着、一体化した上、同操作部４１には、そのスクリューキャップ型連結部の中央を貫通して、該タンク４０内底部付近まで達するよう、冷却水７中に延伸した圧送機構４３を一体に設け、該操作部４１をタンク４０に向けて押圧操作すると、これに連動する圧送機構４３が、タンク４０内の冷却水７の適量を操作部４１の吐出端４２に向けて圧送するものとしてある。
【００２７】
マウント金具２は、図３および図４中に示すように、装着対象ハンドドリル８のグリップ８０の引き金スイッチ８１直下付近の周回り寸法に応じて調節、締め付けできるネジ送り機構２０を有したホース用バンド型のクランプ金具２からなるものとし、当該姿勢調節機構３は、該クランプ金具２のネジ送り機構２０外周壁に対し、同クランプ金具２をグリップ８０に装着したときに、同グリップ８０に直交状となるよう基端が立設、一体化された支柱ボルト３０と、同支柱ボルト３０先端がわより螺着可能な一対の緊締ナット３１,３１とからなるものである。
【００２８】
図１および図２中に示すように、該姿勢調節機構３支柱ボルト３０の先端がわから一個目の緊締ナット３１を螺着した後に、当該着装ポンプ４のタンク４０上端付近の胴周りに巻付き状に装着した樹脂製または金属製の着装ベルト４４の両端に夫々一体化形成したフランジ４５,４５と、後述する金属製挟着板５の後部貫通孔５０とを貫通するよう装着してから二個目の緊締ナット３１を螺着し、該一対の緊締ナット３１,３１間にフランジ４５,４５および挟着板５を締め付け仮固定すると共に、着装ポンプ４とクランプ金具２との間の支柱ボルト３０軸心方向距離を調節可能に仮固定し、且つ、着装ポンプ４および操作部４１のクランプ金具２に対する、支柱ボルト３０軸心回りの角度姿勢を調節可能に仮固定するものとしている。
【００２９】
当該挟着板５は、矩形状金属板を中央で折り曲げ加工した断面Ｕ字型の部品からなるもので、折り畳まれた二重板部分の後部がわに後部貫通孔５０を貫通し、同じく折り畳まれた二重板部分の前部がわに調節孔５１を穿設してなるものとし、当該着装ポンプ４操作部４１の冷却水７吐出端４２には、金属パイプ製誘導ノズル６のＪ字型に折曲した基端６０に一端を接続した透明軟質樹脂製の軟質チューブ６１の他端を繋ぎ、該誘導ノズル６のＪ字型折曲基端６０が、挟着板５調節孔５１に貫通した調節ネジ５２に巻付き状となり、挟着板５の対峙面壁間に挟み込まれた状態に配置し、該調節ネジ５２とその先端に螺着した図示しないナットとを締め付け、当該誘導ノズル６が、該調節ネジ５２の外周壁の任意の接線方向に向けて仮固定可能としたものとしている。
【００３０】
図３中に示すように、当該金属パイプ製誘導ノズル６は、クランプ金具２および姿勢調節機構３を介して装着した挟着板５から、同ハンドドリル８のチャック８２に装着されたときのドリルビット９に向けて、先端を近接可能とする長さ寸法、および折曲形状に設定されたものとしてある。
【００３１】
（実施例１の作用）
以上のとおりの構成からなるこの考案のハンドドリル用ドリルビット冷却器１をハンドドリル８に適性に装着するには、図３および図４中に示すように、ハンドドリル８グリップ８０の引き金スイッチ８１直下付近にクランプ金具２を巻き付け状に装着し、ネジ送り機構２０を締め付けて強固に仮固定した後、姿勢調節機構３の一対の緊締ナット３１,３１を一旦緩めて、着装ポンプ４および挟着板５の支柱ボルト３０の軸心方向の位置（グリップ８０との距離）、および軸心回り方向の角度姿勢を適切に調節し、図５中に示すように、グリップ８０を握持した利用者の手、親指の第一関節の腹がわに、着装ポンプ４の操作部４１が対峙するよう調整すると共に、誘導ノズル６の先端が、チャック８２に装着されているドリルビット９の先端付近に近接する姿勢とするよう調整した上、一対の緊締ナット３１,３１を互いに締め付けて着装ポンプ４のフランジ４５,４５および挟着板５を強固に仮固定したものとする。
【００３２】
さらに、図１ないし図５中に示すように、挟着板５の調節ネジ５２を一時的に緩めて誘導ノズル６のＪ字型折曲基端６０を調節ネジ５２の軸心回りに僅かに操作して誘導ノズル６の先端位置を微調整した後、調節ネジ５２を締め付けて強固に仮固定したものとし、当該タンク４０内の冷却水７量を確認し、少ない場合には、該タンク４０から、操作部４１をスクリューキャップ型連結部で取り外して給水し、タンク４０に操作部４１で施蓋するよう螺着した後でハンドドリル８によるボーリング作業を開始することとなり、図５中に示すように、ボーリング作業に伴ってハンドドリル８のドリルビット９が過熱しそうになったときに、利用者は、グリップ８０を握り直すことなく、そのまま親指で操作部４１を押圧操作して圧送機構４３を動作させ、軟質チューブ６1および誘導ノズル６を通じてドリルビット９に適量の冷却水７を吸引、圧送、噴射し、切削摩擦を低減すると共に冷却するものとなる。
【００３３】
また、軟質チューブ６１は、操作入力を受けて往復移動する操作部４１の吐出端４２と、一定姿勢に保持された金属パイプ製誘導ノズル６基端６０との間を、緩衝可能に接続すると共に、透明軟質樹脂製の軟質チューブ６１、および透明樹脂製のタンク４０は、何れも振動や衝撃に対する耐久強度に秀れ、冷却水７の残量や圧送状態を簡単に目視確認可能である。
【００３４】
（実施例１の効果）
以上のような構成からなる実施例１のハンドドリル用ドリルビット冷却器１は、前記この考案の効果の項で記載の特徴に加え、図１および図２中に示すように、透明樹脂製のタンク４０、および透明樹脂製の軟質チューブ６1は、何れも軽量で耐久強度にも秀れており、しかも冷却水７の残量や圧送機構４３の作動確認も簡便であり、その上、着装ポンプ４をマウント金具２や姿勢調節機構３から離脱せずに操作部４１のスクリューキャップ型連結部を簡単に取り外してタンク４０に迅速な給水でき、ハンドドリル８を用いた本来のボーリング作業に全く支障を来たすことなく効率的にメンテナンスできるものとなっている。
【００３５】
加えて、金属パイプ製の誘導ノズル６は、耐久強度や耐熱性などに秀れているだけでなく、僅かに折り曲げてノズル先端位置や向きを微調整するのにも好都合であり、ハンドドリル８の駆動振動にも十分に耐えて所望の姿勢を強固に維持し、ドリルビット９に向けて一段と正確に冷却水７を噴射可能なものとなる上、調節ネジ５２に巻付き状に装着して挟着板５に挟着されたＪ字型折曲基端６０は、不用意な脱落をより確実に防止することができるという特徴を有している。
【００３６】
（結  び）
叙述の如く、この考案のハンドドリル用ドリルビット冷却器は、その固有で新規な構成によって所期の目的を遍く達成可能とするものであり、従前からの冷却水供給管路内蔵のドリルビットや、ドリルビットを包囲する密閉カバー内に冷却水ミストを供給するドリル冷却技術などに比較し、汎用のドリルビットをそのまま利用可能で、その耐久性を各段に高めることができ、しかも小型、軽量且つ低廉化して遙かに経済的なものとすることができる上、ハンドドリルによるボーリング作業性を大幅に改善し得るものになることから、従前までは連続使用によるドリルビットの摩耗劣化が激しく、ボーリング作業中に頻繁にビット交換しなければならず、作業効率の悪化や、経済的負担の増加を避けることができず、こうした事態に改善の余地を見出すことができなかった建築業界および電動工具業界はもとよりのこと、これまで耐久性に秀れ高価なハンドドリルや特殊なドリルビットなどは経済的な負担が大きく準備できないという事情に悩んでいた一般家庭や各種製造業界などにおいても高く評価され、広範に渡って利用、普及していくものになると予想される。                                                                                        
【図面の簡単な説明】
【００３７】
図面は、この考案のハンドドリル用ドリルビット冷却器の技術的思想を具現化した代表的な一実施例を示すものである。
【図１】側面から見たドリルビット冷却器を示す斜視図である。
【図２】底面から見たドリルビット冷却器を示す斜視図である。
【図３】側方から見た装着済みドリルビット冷却器を示す斜視図である。
【図４】底面がわから見た装着済みドリルビット冷却器を示す斜視図である。
【図５】使用中のドリルビット冷却器を示す斜視図である。
【符号の説明】
【００３８】
１      ハンドドリル用ドリルビット冷却器
２      クランプ金具（マウント金具）
２０    同  ネジ送り機構
３      姿勢調節機構
３０    同  支柱ボルト
３１    同  緊締ナット
４      着装ポンプ
４０    同  タンク
４１    同  操作部
４２    同  吐出端
４３    同  圧送機構
４４    同  着装ベルト
４５    同  フランジ
５      挟着板
５０    同  後部貫通孔
５１    同  調節孔
５２    同  調節ネジ
６      誘導ノズル
６０    同  Ｊ字型折曲基端
６１    同  軟質チューブ
７      冷却液
８      ハンドドリル
８０    同  グリップ
８１    同  引き金スイッチ
８２    同  チャック
９      ドリルビット                                                                                              
【図１】
0003148183.tif 000003
【図２】
0003148183.tif 000004
【図３】
0003148183.tif 000005
【図４】
0003148183.tif 000006
【図５】
0003148183.tif 000007